(57)【要約】【課題】本発明は、かつらの本体裏面が粘着力があり頭皮に強固に固着すると共にかつらが使用を重ねて粘着力が低下した場合に裏面を軽く洗浄することで粘着力が半永久的に再生するかつらを提供する。尚且つ、このベース素材を従来のかつらの部分的パーツ用材として用いることを提供する。【解決手段】かつらの本体表面に薄いネット素材かフィルム素材10と本体裏面に粘着力のある軟質ポリウレタン素材20を一体的に設けることで形成されているかつらのベース台材である。ネット素材かフィルム素材と軟質ポリウレタン素材の接着面30は、貼着か圧着により一体的に設けられた時の接着面である。ネット素材かフィルム素材10の表面にはかつらの毛40が植えてある。【選択図】図1
2006207035.tif 000002
【特許請求の範囲】
【請求項１】
かつらのベース台材の本体裏面が軟質ポリウレタン素材で粘着力がありかつら本体が頭皮に粘着することで脱付着が容易とすることを特徴とするかつら。
【請求項２】
かつらのベース台材の本体裏面の軟質ポリウレタン素材が使用を重ねて粘着力が低下した場合に、裏面を軽く洗浄する事で粘着力が半永久的に再生することを特徴とする請求項1記載のかつら。
【請求項３】
かつらのベース台材の軟質ポリウレタン素材を用いてかつらの部分パーツ用材として従来のかつらの脱付着手段と組み合わせて用いることで従来のかつらの脱付着手段を削減でき、より強固にかつらが頭皮に固着することを特徴とするかつら。
【発明の詳細な説明】
【技術分野】
【０００１】
本発明は、かつらのベース台材の本体裏面の特徴と、そのベース台材を従来のかつらの部分パーツ用材として用いたかつらに関する。
【背景技術】
【０００２】
従来のかつらは、かつらの本体以外にかつらを脱付着する為に、金属やプラスチックを用いたストッパーやクリップとゆう止め具や、接着剤、両面粘着テープ、頭髪をかつらと編み込むなどした脱付着手段と、その脱付着したかつらのメンテナンスが必要である。
【０００３】
文献の例をあげると。
【０００４】
特許文献1に係る「かつら用クリップ」には、使用中にクリップが急に破損したり、クリップを使用した部分の頭髪に負担が掛かるとゆう欠点がある。特許文献2に係る「使い捨て用かつら」には、取付けるたびに頭皮に接着剤をスプレーすることが手間が掛かり取外しも剥離剤で剥離してからとゆう面倒だとゆう欠点がある。特許文献3に係る「かつらの取付部の形成方法」には、脱付着するのに頭髪とかつらを専門技術者によって編み込んでもらわなければ成らないので、使用者本人が脱付着することが出来ないとゆう欠点がある。
【０００５】
【特許文献１】特開2002−327326号
【特許文献２】特開2001−089921号
【特許文献３】特開2002−220721号
【発明の開示】
【発明が解決しようとする課題】
【０００６】
しかし、従来のかつらの脱付着手段は、前記文献で述べているように面倒で、その脱付着したかつらのメンテナンスが必要である。金属やプラチックの止め具を使用した脱付着手段は、止め具が使用中に破損したり止めている部分の頭髪に負担が掛かる。接着剤、両面粘着テープを使用した脱付着手段は、使用するたびに裏面に接着剤を塗ったり、取外しの時は、接着剤を剥離剤で剥離してから取外すので面倒である。両面粘着テープを使用した脱付着手段は、使用するたびに貼り換えたりするので手間が掛かる。頭髪をかつらと編み込む脱付着手段は専門技術者によって、脱付着してもらわなけば成らないので使用者本人が脱付着することは困難である。そこで、本発明は、かつらの本体の脱付着を容易にし、従来のかつらより本発明は、かつらのメンテナンスが粘着力が再生することで大幅に軽減されている。尚且つ、ベース用材として用いることで従来のかつらの脱付着の不都合を解決することを課題とする。
【課題を解決するための手段】
【０００７】
前述の課題を解決する為の第一発明は、かつらのベース台材の本体裏面が軟質ポリウレタン素材で粘着力があり、かつら本体が頭皮に粘着することで脱付着が容易とすることを特徴とするかつらを提供する。
【０００８】
また第二発明は、かつらのベース台材の本体裏面の軟質ポリウレタン素材が使用を重ねて粘着力が低下した場合に、裏面を軽く洗浄することで粘着力が半永久的に再生することで、かつらのメンテナンスが軽減されることを特徴する本発明のかつらを提供する。
【０００９】
また第三発明は、かつらのベース台材に軟質ポリウレタン素材を用いてかつらの部分的パーツ用材として従来のかつらの脱付着手段と組み合わせて使うことで、従来のかつらの脱付着手段を削減でき、より強固にかつらが頭皮に固着することを特徴とするかつらを提供する。
【発明の効果】
【００１０】
本発明は、かつらのベース台材の本体裏面に粘着力がある軟質ポリウレタン素材を用いることで、従来の脱付着手段を用いなくてもかつらを貼ったり剥がしたりとゆう脱付着作業で、容易にかつらの脱付着が簡単に可能となり使用できる。従来のかつらは、脱付着のメンテナンスが前記文献で述べているように大変面倒である。そこで、本発明は、ベース台材の裏面の軟質ポリウレタン素材が使用を重ねて粘着力が低下した場合に裏面を軽く洗浄することで粘着力が半永久的に再生することでメンテナンスが軽減され簡単になった。尚且つ、本発明の軟質ポリウレタン素材を用いてかつらの部分的パーツ用材として従来のかつらの脱付着手段と組み合わせて用いることで、従来の脱付着手段を削減でき、より容易に、より強固にかつらが頭皮に固着することが出来る。
【発明を実施するための最良の形態】
【００１１】
本発明の実施形態を添付図面を参照しながら説明する。
【００１２】
本発明の実施形態を図1に示す。この図1は、かつらの断面図である。かつらの本体は、ネット素材かフィルム素材10と軟質ポリウレタン素材20とかつらの毛40で形成されている。ネット素材かフィルム素材10と軟質ポリウレタン素材20は一体的に設けられたかつらのベース台材である。ネット素材かフィルム素材10と軟質ポリウレタン素材20の一体的な厚さは1ｍｍ〜0.13ｍｍである。ネット素材かフィルム素材と軟質ポリウレタン素材の接着面30は、ネット素材かフィルム素材10と軟質ポリウレタン素材20を融和剤で貼着するか圧縮プレスで圧着により一体的に設けられた時の接着面である。ネット素材かフィルム素材10の特徴は、ネット素材は、薄いネット状の素材で通気性がある。フィルム素材は、薄いフィルムシート状の素材で従来のかつらより装着時に見た目が頭皮と一体化する。そのネット素材かフィルム素材10の表面には、かつらの毛40が植えてある。そして、頭皮と接する部分の軟質ポリウレタン素材20は、粘着力がある。
【００１３】
本発明の実施形態を図2に示す。この図2は、部分かつらの脱付着する状態を示す斜視図である。よって、図2でかつら本体を斜視した裏面に軟質ポリウレタン素材20部分が確認出来る。部分かつらの表面全体はネット素材かフィルム素材10で形成されている。表面のネット素材かフィルム素材と裏面の軟質ポリウレタン素材を一体的に形成されている部分10aである。図2では、表面の天頂部のネット素材かフィルム素材10は、ネット素材が単独で形成されているので、その部分は通気性がある。ネット素材かフィルム素材10と、表面のネット素材かフィルム素材と裏面の軟質ポリウレタン素材を一体的に形成されている部分10aの表面には、かつらの毛40が植えてある。脱付着する部分は頭部70である。
【００１４】
本発明の実施形態を図3に示す。この図3は部分的パーツ用材として軟質ポリウレタン素材を用いた全頭かつらの側面図である。表面全体がネット素材かフィルム素材10で出来た全頭かつらで、その部分的パーツ用材として裏面部分の周囲に軟質ポリウレタン素材20とネット素材かフィルム素材10と一体的に形成され設けられている。ネット素材かフィルム素材10の表面には、かつらの毛40が植えてある。
【００１５】
この表1は、粘着力のある軟質ポリウレタンの物性値である。
【００１６】
【表１】
2006207035.tif 000003
【図面の簡単な説明】
【００１７】
【図１】かつらの断面図である。
【図２】部分かつらの脱付着する状態を示す斜視図である。
【図３】部分的パーツ用材として軟質ポリウレタン素材を用いた全頭かつらの側面図である。
【符号の説明】
【００１８】
10ネット素材かフィルム素材
20軟質ポリウレタン素材
30ネット素材かフィルム素材と軟質ポリウレタンの接着面
10a表面のネット素材かフィルム素材と裏面の軟質ポリウレタン素材を一体的に形成されている部分
40かつらの毛
70頭部
【図１】
2006207035.tif 000004
【図２】
2006207035.tif 000005
【図３】
2006207035.tif 000006